(57)【要約】【課題】本発明は、カーペットの表面に付着したアレルゲンを効率よく低減化し、無害なペプチドやアミノ酸にまで分解することができる抗アレルゲンカ−ペットを提供する。【解決手段】本発明者らは、たんぱく質分解酵素を吸湿性樹脂によってカーペットの表面に固着することにより、花粉等のアレルゲンの不活性化が効率的に行え、さらに無害なペプチドやアミノ酸にまで分解することができ、耐久性のある抗アレルゲンカーペットを得る。【選択図】図１
2013090654.tif 000002
【特許請求の範囲】
【請求項１】
パイル糸と基布とバッキング層からなるカ−ペットにおいて、カ−ペット表面のパイル糸の先端部にタンパク質分解酵素からなるアレルゲン低減化剤が固着されていることに特徴のある抗アレルゲンカ−ペット。
【請求項２】
前記アレルゲン低減化剤がパイル糸の先端から１／４〜１／３までに固着されていることに特徴のある請求項１に記載の抗アレルゲンカーペット。
【請求項３】
前記アレルゲン低減化剤が０．２〜５．０ｇ／ｍ２固着されていることに特徴のある請求項１または２に記載の抗アレルゲンカーペット。
【請求項４】
前記アレルゲン低減化剤が、吸湿性ポリエステル樹脂によって固着されていることに特徴のある請求項１〜３のいずれか１項に記載の抗アレルゲンカーペット。
【発明の詳細な説明】
【技術分野】
【０００１】
本発明は、アレルゲン低減化剤を塗布したカーペットに関するものであり、カーペットの表面に付着した花粉や埃等の微小たんぱく質からなるアレルゲンを不活性化し、無害なペプチドに分解するカーペットに関するものである。
【背景技術】
【０００２】
近年、杉や檜等の花粉の飛散量が増加し、これまで花粉症といわれなかった人までも、突然発症してしまうことから、花粉症は国民の一大関心事となってきている。一方、近年建設される住宅は、断熱性、気密性が、従来の住宅と比較し一段と向上しており、高性能の省エネ住宅となっている。このため、一度室内に、衣類等に付着して侵入した花粉は、気密性が高いが故に、室外に出て行くことはなく、ハウスダストといわれる塵とかダニ（虫体、死骸、抜け殻、糞）等といっしょになって、アレルギーを引き起こすアレルゲンとなり、気管支喘息、アレルギー性鼻炎などのアレルギー疾患の症状を多く発症させる原因となっているといわれている。
【０００３】
アレルゲンには種々なタイプのものがあるが、いずれも、微小たんぱく質であって、これらが体内に入ると、体内の免疫器官に異物として認識され、体外にこれらを出すように反応して発症するといわれている。中でも、ダニ、特にチリダニのアレルゲンは、チリダニを高熱や薬剤で駆除したとしても、死骸が畳やカーペットの中に残り、その死骸がさらにアレルゲン性の高い物質となってしまい、人が畳やカーペットの上を動くことにより、畳やカーペットの内部から室内空間にアレルゲンが放出されることが起こっていた。そのため、ダニの死骸、抜け殻、糞等のアレルゲンを畳やカーペットから取り除かない限り、アレルギー疾患の完全な解決には至ることはできなかった。また、花粉についても、人が出入りをする度に必ず、屋内に持ち込まれ、一定時間後には畳やカーペット、ソファー等の表面に堆積してアレルゲンとなるものと考えられていた。
【０００４】
これに対応するため、エアコンや空気清浄機等を使った消臭、脱臭、集塵が行なわれるようになり、フィルター等によって空気中のアレルゲンを捕集する方法が提案されている。しかし、これらの方法は、室内の空気中に浮遊するアレルギー疾患の原因物質には有効ではあるが、カーペット等の内部や表面にある原因物質にまで効果が発揮されることはない。カーペットにおいては、掃除機などでカーペットのパイル糸の表層部を叩きながら何度も吸引して花粉等のアレルゲンを除去するのが有効な方法といわれているが、常に掃除機をかける訳にもいかず、アレルゲンが自然な状態でカーペットから除去分解される技術が望まれている。
【０００５】
特許文献１においては、酸化ジルコニウムの無機微粒子化合物、さらにアレルゲン不活化能のある他の無機化合物、銀微粒子、アミノ酸系界面活性剤を配合し、ｐＨを７．５〜１１．５の間に調整した加工剤が開示され、該加工剤で繊維布帛を処理した場合には、花粉が付着しにくく、また付着しても軽く叩くことにより落ちやすい性状が付与され、さらに残存した花粉に対してはアレルゲンの不活化が図られる技術が提案されている。
【０００６】
また、特許文献２においては、通過空気中に浮遊する花粉やダニアレルゲンを捕獲可能な１０μｍ未満のメッシュを有するフィルター本体と該フィルター本体に担持され、捕獲された花粉やダニアレルゲンを不活性化する機能を有する１００万Ｕ以上の分解能をもつ酸性、中性、塩基性の酵素とを具備し、該酵素によりフィルター本体で捕獲された花粉やダニアレルゲンを変性もしくは分解して不活性化することを特徴とするアレルゲン不活性化フィルターの技術が提案されている。
【０００７】
また、出願人は特許文献３において、カーペットの基布の縦糸および／又は横糸にスプリットヤーンを使用し、アレルゲン低減化物質を大量にしかもカーペットの風合を損ねることなく固着できる技術を開示している。しかしながら、これらの技術はアレルゲンを不活化する技術としては優れているが、さらに性能向上がのぞまれている。
【特許文献１】特開２００６−５７２１２
【特許文献２】特開２００３−２１０９１９
【特許文献３】特願２００５−３４１５６１
【発明の開示】
【発明が解決しようとする課題】
【０００８】
本発明は、かかる技術的背景に鑑みてなされたものであって、カーペットの表面に付着したアレルゲンを効率よく低減化し、無害なペプチドやアミノ酸にまで分解することができる抗アレルゲンカ−ペットを提供することを目的とする。
【課題を解決するための手段】
【０００９】
本発明者らは、このような課題を解決するために鋭意検討の結果、たんぱく質分解酵素を吸湿性樹脂によってカーペットの表面に固着することにより、花粉等のアレルゲンの不活性化が効率的に行え、さらに無害なペプチドやアミノ酸にまで分解することができ、耐久性のある抗アレルゲンカーペットを得ることができることを見出し本発明に到達した。前記目的を達成するために、本発明は以下の手段を提供する。
【００１０】
［１］パイル糸と基布とバッキング層からなるカ−ペットにおいて、カ−ペット表面のパイル糸の先端部にタンパク質分解酵素からなるアレルゲン低減化剤が固着されていることに特徴のある抗アレルゲンカ−ペット。
【００１１】
［２］前記アレルゲン低減化剤がパイル糸の先端から１／４〜１／３までに固着されていることに特徴のある前項１に記載の抗アレルゲンカーペット。
【００１２】
［３］前記アレルゲン低減化剤が０．２〜５．０ｇ／ｍ２固着されていることに特徴のある前項１または２に記載の抗アレルゲンカーペット。
【００１３】
［４］前記アレルゲン低減化剤が、吸湿性ポリエステル樹脂によって固着されていることに特徴のある前項１〜３のいずれか１項に記載の抗アレルゲンカーペット。
【発明の効果】
【００１４】
［１］の発明では、パイル糸と基布とバッキング層からなるカーペットにおいて、カーペット表面のパイル糸の先端部にタンパク質分解酵素からなるアレルゲン低減剤が固着されているので、室内において十分な不活性化能力を持つことができ、カーペット表面に付着した花粉等のアレルゲンを効果的に不活性化し分解することができる。
【００１５】
［２］の発明では、前記アレルゲン低減化剤がパイル糸の先端から１／４〜１／３までに固着されているので、カ−ペット表面に付着した花粉等のアレルゲンを効果的に不活化することができる。
【００１６】
［３］の発明では、アレルゲン低減化剤が０．２〜５．０ｇ／ｍ２カ−ペット表面に固着されているので、十分な不活化能力を持ったカーペットとすることができる。
【００１７】
［４］の発明では、吸湿性ポリエステル樹脂によってタンパク質分解酵素が固着されているので、アレルゲン低減化性能の持続耐久性が一段と向上し、最終的にはアレルゲンをペプチドやアミノ酸にまで分解することができる。
【発明を実施するための最良の形態】
【００１８】
次に、この発明に係る抗アレルゲンカーペットの一実施形態を図面に基づいて説明する。この実施形態の抗アレルゲンカーペット１は、パイル糸２と基布３とバッキング層４からなり、パイル糸２の先端部にタンパク質分解酵素からなるアレルゲン低減化剤６がバインダー樹脂（図示せず）により固着されている。（図１参照）さらに、バッキング層４の保護やクッション性を付与するために不織布からなるセカンド基布５を積層している。
【００１９】
アレルゲン低減化剤は、アレルゲンを変性させるなどして不活性化し、抗原抗体反応を抑制する成分であって、例えばタンニン酸、カテキンのような植物抽出物、２，５−ジヒドロキシ安息香酸のようなヒドロキシ安息香酸やタンパク質分解酵素等が挙げられる。なかでも、タンパク質分解酵素は好適で、酵素の加水分解反応により、微小たんぱく質からなるアレルゲンを不活性化し、最終的にペプチドやアミノ酸にまで分解するメカニズムである。
【００２０】
アレルゲンを不活性化する酵素としては好ましくはプロテアーゼ（タンパク質分解酵素）が例示される。プロテアーゼとはペプチド結合を分解する性質を有する酵素である。プロテアーゼは酸性、中性、塩基性の何れであってもよい。好ましいプロテアーゼとしては、例えば、トリプシンなどのセリンプロテアーゼ；パパイン、カルパイン、カテプシンＢおよびカテプシンＬなどのシステインプロテアーゼ；ペプシン、レニンおよびカテプシンＤなどのアスパラギン酸プロテアーゼ；並びにメタロプロテアーゼなどが例示される。また本発明で用いられるプロテアーゼは、耐熱性が高いものがより好適である。具体的には、ｐｆｕ  ｐｒｏｔｅａｓｅ  Ｓ（タカラバイオ社製）などが市販の好適な酵素として入手可能である。
【００２１】
吸湿性樹脂としては、ポリエステル系、ポリアミド系、シリコン系、アクリル系等をあげることができる。中でもポリエステル系樹脂組成物からなるものが好適で、繊維への加工性が良好である。例えば、ポリエチレングリコールとポリエチレンテレフタレートのブロック共重合物で、ノニオン性を有するポリエステル系樹脂組成物で表面処理するのが好適である。（本発明では高松油脂株式会社のＳＲ１０００を使用した。）
【００２２】
パイル糸２にアレルゲン低減化剤６を固着する方法は、吸湿性樹脂に浸透剤とアレルゲン低減化剤等を均一に分散させ、スプレー法やコーティング法など従来からある方法でカーペットのパイル糸側に塗布し、乾燥処理してパイル糸の表面に固着するこの時、パイル糸の先端から１／４〜１／３までに固着することが好ましく、カーペット表面に付着した花粉等のアレルゲンを効率的に不活性化するカーペットとすることができる。吸湿性樹脂の乾燥手段は、特に限定されず、風乾あるいは加熱処理のいずれでもよいが、効率の点で加熱処理により乾燥させる方が望ましく、すなわちバッキング層の乾燥工程と同時に行うことが効率的である。この時の加熱処理温度は、パイル糸と基布とバッキング層の素材や規格にもよるが、１００〜１８０℃とするのが好ましい。この温度での加熱処理によりパイル糸への固着性がより高まり、アレルゲン低減化性能の持続耐久性が一段と向上する。
【００２３】
また、前記アレルゲン低減化剤と浸透剤と吸湿性樹脂とは、水に分散した水分散液として使用することができる。吸湿性樹脂については水との間でエマルジョン状態を形成させるのがより好ましい。なお、分散媒としては、水以外にアルコール等も使用し得るが、水が好適である。水に分散させる順序としては、アレルゲン低減化剤を水に分散させておいてから、浸透剤、吸湿性樹脂を分散せしめるのが、アレルゲン低減化剤と吸湿性樹脂をより均一に分散させる観点から好ましい。また、この水分散液に、分散剤、増粘剤などの各種添加剤を配合してもよい。
【００２４】
本発明において、前記パイル糸の先端部に固着されたアレルゲン低減化剤は０．２〜５．０ｇ／ｍ２塗布されるのが好ましい。アレルゲン低減化剤が０．２ｇ／ｍ２を下回る場合はアレルゲン低減化効果が発揮されないので好ましくなく、５．０ｇ／ｍ２を越えるとアレルゲン低減化効果が経済的に得られない。より好ましくは０．３〜３．０ｇ／ｍ２がよい。
【００２５】
本発明において、パイル糸２の素材としては特に限定されるものではなく、ポリエステル繊維、ポリアミド繊維、ポリプロピレン繊維、アクリル繊維、レ−ヨン繊維等の合成繊維からなるもの等を好適に使用でき、その他麻、綿、羊毛等の天然繊維からなるもの等も使用できる。パイルの形態としてもカットパイルであっても、ル−プパイルであってもよい。パイル糸２の目付も特に限定されない。
【００２６】
また、基布３としても、特に限定されるものではなく、ポリエステル繊維やポリプロピレン繊維、麻、綿等の天然繊維からなる織、編基布、不織布等通常使用される基布でよい。
【００２７】
次に、バッキング層５としては、パイル糸２と基布３とを固定できる樹脂組成物やゴム組成物であれば特に限定されず、例えば樹脂組成物の樹脂成分としてはアクリル系、ウレタン系、ポリ塩化ビニル、ポリエチレン、ポリプロピレン、エチレン−酢酸ビニル共重合体（ＥＶＡ）等の樹脂が挙げられる。ゴム組成物のゴム成分としてはＳＢＲ（スチレン−ブタジエン）、ＮＢＲ（アクリロニトリル−ブタジエンゴム）ＭＢＲ（メチルメタクリレート−ブタジエンゴム）あるいは天然ゴム等が挙げられる。また、充填剤として炭酸カルシウム、水酸化アルミニウム、水酸化マグネシウム、フライアッシュ等を添加してバッキング層として使用するのが一般的である。
【００２８】
また、図１に示すようにバッキング層５の下側にクッション性能とバッキング層の保護性能を付与すべく、不織布からなるセカンド基布５を設けてもよい。セカンド基布５としては、特に限定されず、ニ−ドルパンチ不織布、スパンボント不織布等を例示できる。セカンド基布５の目付は５０〜１０００ｇ／ｍ２、その厚さを０．５〜１５ｍｍ、構成繊維の繊度を０．１〜３０デシテックスの範囲に設定するのが好ましい。セカンド基布５の目付が、５０ｇ／ｍ２未満ではカ−ペットとしての機能や品位の劣ったものとなり、好ましくない。１０００ｇ／ｍ２を超えると徒にコスト増大となるだけで好ましくない。素材としては、パイル糸、基布と同様に特に限定されないが、リサイクル性からみればポリエステル繊維に統一するのが望ましい。また、セカンド基布５の最下部表面に、樹脂組成物やゴム組成物で滑り止め層を形成してもよい。
【実施例】
【００２９】
次に、この発明の実施例として使用したカーペットの材質、構造、アレルゲン低減化剤の種類、加工方法、アレルゲン分解性能測定試験および判定方法は次の通りである。
【００３０】
＜使用材料＞
基布・・・目付１００ｇ／ｍ２ポリエステルスパンボント不織布
パイル糸・・・ポリエステル繊維からなるパイル糸をループ状にタフティング機で基布に植え込む（パイル長５．０ｍｍ、目付５００ｇ／ｍ２）
バッキング層・・・ＳＢＲラテックス（充填剤として炭酸カルシウム）
セカンド基布・・・５デシテックスのポリエステル繊維からなるニードルパンチ不織布（目付３００ｇ／ｍ２、厚さ６ｍｍ）
アレルゲン低減化剤・・・耐熱性タンパク質分解酵素「ｐｆｕ  ｐｒｏｔｅａｓｅ  Ｓ」（タカラバイオ社製）
吸湿性樹脂・・・ポリエステル樹脂「ＳＲ１０００」（高松油脂株式会社製）
【００３１】
＜アレルゲン性能測定試験＞
ダニアレルゲンを希釈した溶液を調整する。アレルゲン低減化剤を塗布していないカーペット表面にアレルゲン溶液を塗布し、初期アレルゲン濃度をＥＬＩＳＡ法で測定した。次にアレルゲン低減化剤を塗布したカーペット表面にアレルゲン溶液を等量塗布し、２４時間後のアレルゲン濃度をＥＬＩＳＡ法で測定し、その変化からアレルゲン濃度減少率を計算し８０％以上を合格とした。
【００３２】
＜実施例１＞
水１００重量部にアレルゲン低減化剤を０．２重量部分散させておいてから、吸湿性樹脂を２．２重量部分散した水溶液をスプレー加工にてカーペット表面に塗布し、８０℃、３分間乾燥処理してカーペット表面にアレルゲン低減化剤を０．５ｇ／ｍ２固着した抗アレルゲンカーペットを得た。ダニアレルゲン分解性能測定試験で減少率は８０％で合格であった。
【００３３】
＜比較例１＞
アレルゲン低減化剤を塗布しないカーペットを用いて表面にアレルゲン溶液を等量塗布し、ダニアレルゲン分解性能測定試験をおこなった。減少率は２％でほとんど変化は見られなかった。
【００３４】
＜実施例２＞
アレルゲン低減化剤を４．５ｇ／ｍ２カーペット表面に固着されるようにした以外は、実施例１と同様にして抗アレルゲンカーペットを得た。ダニアレルゲン分解測定試験では減少率９８％で合格であった。
【００３５】
上述のように、アレルゲン低減化剤であるタンパク質分解酵素をパイル糸の表面に固着しているものについては、未加工のものと比較して明らかにダニアレルゲンの量を減らしており、ダニアレルゲンがタンパク質分解酵素によってアレルゲン濃度を減少させたことが確認できた。また、アレルゲンはタンパク質分解酵素によって、無害なペプチドやアミノ酸にまで分解することができる。
【図面の簡単な説明】
【００３６】
【図１】この発明の一実施形態に係る抗アレルゲンカーペットを示す概略断面図である。
【符号の説明】
【００３７】
１・・・抗アレルゲンカーペット
２・・・パイル糸
３・・・基布
４・・・バッキング層
５・・・セカンド基布
６・・・アレルゲン低減化剤
【図１】
2013090654.tif 000003